(57)【特許請求の範囲】
【請求項１】
車両に搭載される車両用照明装置であって、
紫外光によって励起されて蛍光を発する発光部を有する被照射物と、
前記被照射物に対して可視光を照射可能な可視光源と、
前記発光部に対して紫外光を照射可能な紫外光源と、
前記可視光源及び前記紫外光源を制御する光源制御部と、を備え、
前記被照射物は、前記車両に搭載されたフロアマットとされ、
前記光源制御部は、
前記車両の制御を司る車両制御部から送信される前記車両の状態を表す信号に基づいて前記可視光源及び前記紫外光源をそれぞれ制御するものとし、前記車両の走行時には、前記車両の非走行時に比して、前記紫外光源の発光量を少なくするように前記紫外光源を制御し、前記可視光源の発光量を多くするように前記可視光源を制御する車両用照明装置。
【請求項２】
前記光源制御部は、前記車両の非走行時には、前記可視光源を消灯させ、前記紫外光源を点灯させるように前記可視光源及び前記紫外光源を制御する請求項１に記載の車両用照明装置。
【請求項３】
前記発光部は、前記フロアマットの車幅方向外側において車両前後方向に延在する請求項１または請求項２に記載の車両用照明装置。
【発明の詳細な説明】
【技術分野】
【０００１】
本発明は、車両用照明装置に関する。
【背景技術】
【０００２】
従来、車両用照明装置として、光源からの光によって発光する発光体を備えるものが知られている（下記特許文献１）。これにより意匠性を高くすることができる。
【先行技術文献】
【特許文献】
【０００３】
【特許文献１】特開２０１１−１４８４８０号公報
【発明の概要】
【発明が解決しようとする課題】
【０００４】
ところで、近年、車両の意匠性をより高くするために、車両の使用状況に応じて照明効果を切り替えることが求められている。
【０００５】
本発明は上記のような事情に基づいて完成されたものであって、車両の使用状況に応じて照明効果を切り替えることが可能な車両用照明装置を提供することを目的とする。
【課題を解決するための手段】
【０００６】
上記課題を解決するために、本発明は、車両に搭載される車両用照明装置であって、紫外光によって励起されて蛍光を発する発光部を有する被照射物と、前記被照射物に対して可視光を照射可能な可視光源と、前記発光部に対して紫外光を照射可能な紫外光源と、前記可視光源及び前記紫外光源を制御する光源制御部と、を備え、前記光源制御部は、前記車両の制御を司る車両制御部から送信される前記車両の状態を表す信号に基づいて前記可視光源及び前記紫外光源をそれぞれ制御することに特徴を有する。
【０００７】
このような構成とすれば、車両の状態に基づいて可視光源及び紫外光源をそれぞれ制御することができる。これにより、紫外光源によって発光部を発光させることで意匠性を高くすることができ、可視光源によって被照射物を照らすことができる。つまり、車両の使用状況に応じて照明効果を切り替えることが可能となる。そして、光源制御部では、車両制御部から送信される信号に基づいて可視光源及び紫外光源の制御を行う。このため、光源を制御するために、車両の状態を検知するための専用の装置（センサなど）を新たに設ける必要がなく、より簡易な構成とすることができる。
【０００８】
また、前記被照射物は、前記車両に搭載されたフロアマットとされ、前記光源制御部は、前記車両の走行時には、前記車両の非走行時に比して、前記紫外光源の発光量を少なくするように前記紫外光源を制御するものとすることができる。このような構成とすれば、車両の非走行時（例えば、乗員が車両に乗り込む際）には、発光部を比較的強く発光させることができ、フロアマットの意匠性を高くすることができる。一方、車両の走行時には、紫外光源の発光量を少なくすることで、乗員（例えば乗員の足元）に対して紫外光が向かう事態を抑制することできる。なお、ここで言う「紫外光源の発光量を少なくする」とは、紫外光源をオフにすることも含まれる。
【発明の効果】
【０００９】
本発明によれば、車両の使用状況に応じて照明効果を切り替えることが可能な車両用照明装置を提供することができる。
【図面の簡単な説明】
【００１０】
【図１】本発明の一実施形態に係る車両用照明装置が設けられる車両の室内を示す斜視図
【図２】図１におけるインストルメントパネルの下部を示す断面図
【図３】車両用照明装置の電気的構成を示すブロック図
【発明を実施するための形態】
【００１１】
本発明の一実施形態を図１から図３によって説明する。本実施形態では、車両１１に搭載される車両用照明装置２０を例示する。車両用照明装置２０は、図１に示すように、インストルメントパネル１５の下部に設けられた光源ユニット２１と、この光源ユニット２１からの出射光（可視光及び紫外光）によって照らされるフロアマット１０（被照射物、図１参照）と、光源ユニット２１の制御を行うＬＥＤ制御部４０（図３参照）と、を備える。
【００１２】
光源ユニット２１は、図２に示すように、インストルメントパネル１５の下壁部１５Ａ（例えば、グローブボックス１６の下方）の裏側に取り付けられている。光源ユニット２１は、可視光ＬＥＤ２２と、紫外光ＬＥＤ２３と、ＬＥＤ２２，２３が実装されるＬＥＤ基板２４と、下方に開口された箱状のＬＥＤ収容部２５と、を備える。ＬＥＤ２２，２３及びＬＥＤ基板２４は、ＬＥＤ収容部２５に収容されている。
【００１３】
下壁部１５Ａには、開口部１５Ｂが形成されている。可視光ＬＥＤ２２及び紫外光ＬＥＤ２３からの各出射光は、開口部１５Ｂを通じてフロアマット１０側に出射される構成となっている。可視光ＬＥＤ２２は、フロアマット１０に対して可視光（例えば、白色光）を照射することが可能となっている。紫外光ＬＥＤ２３は、フロアマット１０（特に後述する発光部１０Ａ）に対して紫外光を照射することが可能となっている。
【００１４】
フロアマット１０は、紫外光によって発光する発光部１０Ａを有している。発光部１０Ａは、例えば、フロアマット１０を構成する基布に対して、蛍光物質が含有された糸（繊維）によって刺しゅうを施すことで構成されている。発光部１０Ａに紫外光が照射されると、発光部１０Ａを構成する蛍光物質が励起され、蛍光を発する。これにより、発光部１０Ａの形状（例えば図１に示す３本の線状）が模様として浮かび上がる構成となっている。
【００１５】
次に、本実施形態の電気的構成を説明する。図３に示すように、ＬＥＤ制御部４０（光源制御部）は、例えばマイコンを主体として構成されており、可視光ＬＥＤ２２及び紫外光ＬＥＤ２３に対して電気的に接続されている。また、ＬＥＤ制御部４０は、車両１１に搭載されたＥＣＵ５０に対して電気的に接続されている。ＬＥＤ制御部４０は、ＥＣＵ５０から送信される信号（後述）に基づいて、可視光ＬＥＤ２２及び紫外光ＬＥＤ２３の各発光量をそれぞれ制御する構成となっている。
【００１６】
なお、ＬＥＤの発光量は、例えば、ＰＷＭ制御などを用いて制御することができ、ＬＥＤに対するＰＷＭ信号のデューティ比を変えることで、発光量を変えることができる。なお、ＬＥＤの制御方式はＰＷＭ制御に限定されない。また、ＬＥＤ制御部４０は、例えば、ＬＥＤ基板２４に実装されているが、これに限定されず、ＬＥＤ基板２４とは異なる場所に配されていてもよい。
【００１７】
ＥＣＵ５０（車両制御部）は、車両１１に搭載された各種スイッチや車両の状態を検知するための各種センサの動作に基づいて車両１１に搭載された各機器の制御を司る構成となっている。図３に示すように、ＥＣＵ５０には、例えば、ドア開閉センサ５１、イグニッションスイッチ５２、シフトポジションセンサ５３、着座センサ５４が電気的に接続されている。
【００１８】
ドア開閉センサ５１は、車両１１に設けられた車両ドアの開閉を検知するものであり、車両ドアに設けられたカーテシスイッチなどを例示することができる。イグニッションスイッチ５２は、車両１１の各機器に対するバッテリからの電力の供給／遮断を切り替えるものとされる。シフトポジションセンサ５３（インヒビタースイッチ）は、車両１１のシフトレバーの位置を検知するものとされる。着座センサ５４は、乗員が車両１１の車両シートに着座しているか否かを検知するものであり、シート座面に設けられた圧力センサを例示することができる。
【００１９】
ＥＣＵ５０は、上記センサ及びスイッチによって取得された車両１１の状態に基づいたデューティ比のＰＷＭ信号をＬＥＤ制御部４０に送信する構成となっている。具体的には、ＥＣＵ５０は、ドア開閉センサ５１によって車両ドアが開いたことが検知された状態では、例えば、デューティ比１００％のＰＷＭ信号をＬＥＤ制御部４０に送信する。
【００２０】
また、ＥＣＵ５０は、シフトポジションセンサ５３によって、シフトレバーがパーキング以外の位置にあることが検知された状態（車両走行時）では、例えば、デューティ比１０％のＰＷＭ信号をＬＥＤ制御部４０に送信する。また、ＥＣＵ５０は、イグニッションスイッチ５２がオン状態である場合や、着座センサ５４がオン状態である場合においても、これらに対応したデューティ比のＰＷＭ信号をＬＥＤ制御部４０に送信する構成となっている。なお、上述したデューティ比の数値は一例であり、適宜変更可能である。
【００２１】
ＬＥＤ制御部４０では、ＥＣＵ５０から送信されるＰＷＭ信号（車両の状態を表す信号）に基づいて、可視光ＬＥＤ２２と紫外光ＬＥＤ２３の点灯をそれぞれ制御する。具体的には、ＬＥＤ制御部４０は、ＥＣＵ５０から送信されたＰＷＭ信号のデューティ比が１００％である場合（車両ドアが開状態）では、可視光ＬＥＤ２２を消灯させ、紫外光ＬＥＤ２３を点灯させる。これにより、フロアマット１０の発光部１０Ａが、紫外光によって発光する。これにより、乗員が車両１１に乗り込む際の照明効果を演出することができる。
【００２２】
そして、ＬＥＤ制御部４０は、ＰＷＭ信号のデューティ比が１０％である場合（車両走行時）では、可視光ＬＥＤ２２を点灯させ、紫外光ＬＥＤ２３を消灯させる。つまり、本実施形態では、車両１１の走行時には、車両１１の非走行時（車両ドアが開状態）に比して、紫外光ＬＥＤ２３の発光量を少なくするように紫外光ＬＥＤ２３を制御する。また、車両１１の走行時には、車両１１の非走行時に比して、可視光ＬＥＤ２２の発光量を多くするように可視光ＬＥＤ２２を制御する。
【００２３】
これにより、車両１１の走行時においては、フロアマット１０を可視光によって照らすことができると共に、乗員の足元に紫外光が照射される事態を抑制することができる。なお、紫外光ＬＥＤ２３は、人体に対する影響が殆どない波長や出力の紫外光を出射するものが用いられる。しかしながら、紫外光が照射されることで乗員が不快に感じる事態が懸念される。本実施形態では、車両走行時において乗員の足元に紫外光が照射される事態を抑制することで、乗員に対してより快適な車室空間を提供することができる。なお、車両走行時及び車両非走行時において、可視光ＬＥＤ２２及び紫外光ＬＥＤ２３を同時に点灯させてもよい。
【００２４】
次に、本実施形態の効果について説明する。本実施形態によれば、車両１１の状態に基づいて可視光ＬＥＤ２２及び紫外光ＬＥＤ２３をそれぞれ制御することができる。これにより、紫外光ＬＥＤ２３によって発光部１０Ａを発光させることで意匠性を高くすることができ、可視光ＬＥＤ２２によってフロアマット１０を照らすことができる。つまり、車両１１の使用状況に応じて照明効果を切り替えることが可能となる。そして、ＬＥＤ制御部４０（光源制御部）では、ＥＣＵ５０から送信される信号に基づいて可視光ＬＥＤ２２及び紫外光ＬＥＤ２３の制御を行う。このため、各ＬＥＤを制御するために、車両１１の状態を検知するための専用の装置（センサなど）を新たに設ける必要がなく、より簡易な構成とすることができる。言い換えると、本実施形態では、車両１１に搭載されているＥＣＵ５０の機能を利用して、可視光ＬＥＤ２２及び紫外光ＬＥＤ２３の制御を行うことができ、より簡易な構成とすることができる。
【００２５】
また、ＬＥＤ制御部４０は、車両１１の走行時には、車両１１の非走行時に比して、紫外光ＬＥＤ２３の発光量を少なくする（発光量をゼロにする）ように紫外光ＬＥＤ２３を制御する。このような構成とすれば、車両１１の非走行時（例えば、乗員が車両に乗り込む際）には、発光部１０Ａを比較的強く発光させることができ、フロアマット１０の意匠性を高くすることができる。一方、車両１１の走行時には、紫外光ＬＥＤ２３の発光量を相対的に少なくすることで、乗員に対して紫外光が向かう事態を抑制することできる。
【００２６】
＜他の実施形態＞
本発明は上記記述及び図面によって説明した実施形態に限定されるものではなく、例えば次のような実施形態も本発明の技術的範囲に含まれる。
（１）上記実施形態では、被照射物としてフロアマット１０を例示したが、これに限定されない。被照射物として、車両シート、インストルメントパネル、トリムなどを例示することができる。
（２）発光部１０Ａの構成や形状は上述したものに限定されない。発光部は、蛍光物質が含有されたフィルムや印刷された蛍光塗料によって構成されていてもよい。
（３）光源ユニット２１（可視光ＬＥＤ２２及び紫外光ＬＥＤ２３）の配置箇所は上記実施形態で例示したものに限定されず、被照射物の配置に応じて適宜変更可能である。例えば、光源ユニット２１がインストルメントパネル１５における運転席側に設けられていてもよく、可視光ＬＥＤ２２で運転席側のフロアマットと共にフットペダルを照らす構成としてもよい。
（４）上記実施形態では、シフトポジションセンサ５３によって、車両１１が走行時であることを検知するものを例示したが、これに限定されない。例えば、イグニッションスイッチ５２又は着座センサ５４がオン状態である場合において、車両が走行時であると判定してもよい。
（５）可視光源及び紫外光源は、ＬＥＤに限定されない。また、各光源からの光を導光しつつ被照射物に出射する導光部材を備えていてもよい。
（６）上記実施形態において、ＬＥＤ制御部４０が、車両１１の状態に基づいて可視光ＬＥＤ２２及び紫外光ＬＥＤ２３の発光パターンや発光タイミングを制御する構成としてもよい。例えば、ドア開閉センサ５１、シフトポジションセンサ５３、イグニッションスイッチ５２などがオンされた際に、ＬＥＤ制御部４０が可視光ＬＥＤ２２又は紫外光ＬＥＤ２３を点滅させる構成としてもよい。
（７）上記実施形態では、ＥＣＵ５０から送信される車両１１の状態を表す信号としてＰＷＭ信号を例示したが、これに限定されない。
【符号の説明】
【００２７】
１０…フロアマット（被照射物）、１０Ａ…発光部、１１…車両、２０…車両用照明装置、２２…可視光ＬＥＤ（可視光源）、２３…紫外光ＬＥＤ（紫外光源）、４０…ＬＥＤ制御部（光源制御部）、５０…ＥＣＵ（車両制御部）
【図１】
0006706421.tif 000002
【図２】
0006706421.tif 000003
【図３】
0006706421.tif 000004